(57)【要約】【課題】衛生的、且つ容易に排水設備の点検及び清掃が行え、その作業性を向上させる。【解決手段】排水設備の枡構造１であって、上部に開口された掃除口２を有するとともに、一側部に流出口７が形成され、他側部に流入口６が形成された有底中空状の枡本体１ａと、枡本体１ａにおいて、流出口７に着脱可能に嵌合され、枡本体１ａ内下方へ向けて屈曲されたエルボ継手１０と、エルボ継手１０の外表部に取り付けられたグリップ部１１とを備える。【選択図】  図１
2014020082.tif 000002
【特許請求の範囲】
【請求項１】
排水設備の枡構造であって、
上部に開口を有するとともに、一側部に流出口が形成され、他側部に流入口が形成された有底中空状の枡本体と、
前記枡本体内において、前記流出口に着脱可能に嵌合され、前記枡本体内下方へ向けて屈曲されたエルボ継手と、
前記エルボ継手の外表部に取り付けられたグリップ部と
を備えることを特徴とする排水設備の枡構造。
【請求項２】
前記グリップ部は、前記エルボ継手から着脱可能に設けられ、
前記エルボ継手の屈曲に沿うように、屈曲されたハンドル本体と、
前記ハンドル本体の下端部に位置され、前記エルボ継手の外表面に当接される当接部と、
前記ハンドル本体の下端部に位置され、前記エルボ継手の下方側の開口縁部に係合される係合部と
から構成されることを特徴とする請求項１の排水設備の枡構造。
【請求項３】
排水設備の枡本体内に取り付けられるエルボ継手であって、
前記枡本体内の一側部に形成された流出口に嵌合される上部開口と、
前記枡本体内下方へ向けて屈曲された屈曲部と、
前記屈曲部の外表部に取り付けられたグリップ部と
を有することを特徴とするエルボ継手。
【請求項４】
排水設備の枡本体内に配置され、前記枡本体内の一側部に形成された流出口に嵌合されるとともに、前記枡本体内下方へ向けて屈曲されたエルボ継手を操作するための操作器具であって、
前記エルボ継手の屈曲に沿うように、屈曲されたハンドル本体と、
前記ハンドル本体の下端部に位置され、前記エルボ継手の外表面に当接される当接部と、
前記ハンドル本体の下端部に位置され、前記エルボ継手の下方側の開口縁部に係合される係合部と
から構成されることを特徴とする操作器具。
【請求項５】
排水設備の枡本体内に配置され、前記枡本体内の一側部に形成された流出口に嵌合されるとともに、前記枡本体内下方へ向けて屈曲されたエルボ継手の操作方法であって、
前記エルボ継手の外表部にグリップ部を予め設けておき、前記流出口に対する前記エルボ継手の嵌合方向に、前記グリップ部を移動させることにより、前記エルボ継手を前記流出口から取り外す
ことを特徴とするエルボ継手の操作方法。
【発明の詳細な説明】
【技術分野】
【０００１】
本発明は、住宅等における水回り設備から排出される排水を下水道へ流出させる排水設備の枡構造、エルボ継手、操作器具、及びエルボ継手の操作方法に関する。
【背景技術】
【０００２】
従来、住宅や店舗等の建物における排水設備では、台所やトイレ、洗面所などの水回り設備から排出された排水を、建物内の排水管を通過して建物の外側地中に埋設された排水枡に集め、排水枡に接続された下水道へ排水させている。
【０００３】
この排水枡は、上部に、掃除口が開口形成されるとともに、この枡の両側部に設けられた流入口、流出口に対応する部分にホールソーなどにて孔をそれぞれ穿設し、この穿設された孔に流出排水管、及び流入排水管が接続されるようになっており、この流出口の内側から枡本体内の下方に向けられたエルボ継手を嵌合接続している（例えば、特許文献１）。このようなエルボ継手は、下水道からの臭気や排水等の逆流、及び、ネズミなどの害獣等が建物内への侵入を防止することができる。
【０００４】
ところで、排水設備は、汚水又は生活水等が排出されているため、定期的に排水管内の内部に発生する防臭または異物の除去を目的として点検及び清掃を行う必要がある。この際、作業員は、排水枡の上部に設けられた掃除口を開けて、エルボ継手本体を掴んで取り外し、排水管内部を点検、及び清掃するようになっている。
【先行技術文献】
【特許文献】
【０００５】
【特許文献１】特開平０６−１０１２６３号公報
【発明の概要】
【発明が解決しようとする課題】
【０００６】
しかしながら、特許文献１に開示されているように、エルボ継手は排水枡内部に設置されているため、作業員がエルボ継手を直接掴んで取り外すには体勢が不自然となり、排水枡から取り外し難いという問題があった。また、排水枡内部は、排水が常時貯まった状態であるため、作業員がエルボ部本体を直接手で掴むことは衛生的ではなく、また不快でもある。そのため、排水設備の点検、及び清掃における作業負荷が増大し、作業の効率が低下するという問題がある。
【０００７】
そこで、本発明は、上記のような問題を解決するものであり、衛生的、且つ容易に排水設備の点検及び清掃が行え、その作業性を向上させることができる排水設備の枡構造、エルボ継手、操作器具、及びエルボ継手の操作方法を提供することを目的とする。
【課題を解決するための手段】
【０００８】
上記課題を解決するために、本発明は、排水設備の枡本体内に取り付けられるエルボ継手であって、枡本体内の一側部に形成された流出口に嵌合される上部開口と、枡本体内下方へ向けて屈曲された屈曲部と、屈曲部の外表部に取り付けられたグリップ部とを有することを特徴とする。
【０００９】
また、他の発明は、排水設備の枡本体内に配置され、枡本体内の一側部に形成された流出口に嵌合されるとともに、枡本体内下方へ向けて屈曲されたエルボ継手の操作方法であって、
（１）エルボ継手の外表部にグリップ部を予め設けておき、
（２）流出口に対するエルボ継手の嵌合方向に、グリップ部を移動させることにより、エルボ継手を流出口から取り外す
ことを特徴とする。
【００１０】
これらのような本発明によれば、エルボ継手の外表部にグリップ部が取り付けられているので、作業員は、エルボ継手を取り外すときに、このグリップ部を掴み、流出口に対するエルボ継手の嵌合方向に、グリップ部を移動させることで、容易に流出口からエルボ継手を取り外すことができる。この際、作業員の手は、グリップ部にのみ接触するので衛生的である。このように、本発明によれば、排水設備の点検・清掃を衛生的、且つ簡易に行うことができるので、その作業性を向上させることができる。
【００１１】
また、他の発明は、排水設備の枡本体内に配置され、枡本体内の一側部に形成された流出口に嵌合されるとともに、枡本体内下方へ向けて屈曲されたエルボ継手を操作するための操作器具であって、エルボ継手の屈曲に沿うように、屈曲されたハンドル本体と、ハンドル本体の下端部に位置され、エルボ継手の外表面に当接される当接部と、ハンドル本体の下端部に位置され、エルボ継手の下方側の開口縁部に係合される係合部とから構成されることを特徴とする。
【００１２】
このような発明によれば、係合部によってエルボ継手を下方から係合するとともに、当接部によってエルボ継手の外側を抑止するので、容易に流出口からエルボ継手を取り外すことができる。この際、作業員は、ハンドル本体を掴んで取り外し作業を行うので、エルボ継手に接触することなく衛生的である。このように、本発明によれば、排水設備の点検・清掃を衛生的、且つ簡易に行うことができるので、その作業性を向上させることができる。
【００１３】
上記エルボ継手及び操作器具は、以下のような他の発明である、排水設備の枡構造に用いられる。すなわち、他の発明は、排水設備の枡構造であって、上部に開口を有するとともに、一側部に流出口が形成され、他側部に流入口が形成された有底中空状の枡本体と、枡本体内において、流出口に着脱可能に嵌合され、枡本体内下方へ向けて屈曲されたエルボ継手と、エルボ継手の外表部に取り付けられたグリップ部とを備える。
【００１４】
このような発明によれば、枡構造内のエルボ継手には、グリップ部が取り付けられているので、このグリップ部を掴むことで、作業員は、衛生的、且つ、簡易に流出口からエルボ継手を取り外すことができ、排水設備における点検・清掃の作業性を向上させることができる。
【００１５】
上記発明において、グリップ部は、エルボ継手から着脱可能に設けられ、エルボ継手の屈曲に沿うように、屈曲されたハンドル本体と、ハンドル本体の下端部に位置され、エルボ継手の外表面に当接される当接部と、ハンドル本体の下端部に位置され、エルボ継手の下方側の開口縁部に係合される係合部とから構成されることが好ましい。
【００１６】
この場合、グリップ部は、エルボ継手から着脱可能に設けられているので、枡構造に応じてグリップ部を装着させたり、外したりすることができる。そして、エルボ継手にグリップ部１１が装着できない場合であっても、操作器具を用いて、エルボ継手を取り外すこともできるので、現場の状態に応じて排水設備の点検・清掃を衛生的、且つ、簡易に行うことができる。
【発明の効果】
【００１７】
以上述べたように、この発明によれば、衛生的且つ容易に排水設備の点検及び清掃が行え、その作業性を向上させることができる。
【図面の簡単な説明】
【００１８】
【図１】第１実施形態に係る排水設備の枡構造の全体を示す概略図である。
【図２】（ａ）及び（ｂ）は、第１実施形態に係るエルボ継手の構造を示す斜視図である。
【図３】第１実施形態に係るエルボ継手の使用方法を示す説明図である。
【図４】（ａ）〜（ｃ）は、第２実施形態に係る操作器具の全体構成を示す斜視図である。
【図５】第２実施形態に係る操作器具の使用状態を示す説明図である。
【図６】第２実施形態に係る操作器具の使用状態を示す説明図である。
【図７】第２実施形態に係る操作器具の使用状態において、エルボ継手との関係を示す説明図である。
【図８】変更例に係るエルボ継手の構造を示す斜視図である。
【発明を実施するための形態】
【００１９】
［第１実施形態］
（枡構造及びエルボ継手の操作器具の構成）
以下に添付図面を参照して、本発明に係る枡構造の第１実施形態を詳細に説明する。図１は、第１実施形態に係る枡構造１の全体を示す概略図であり、図２（ａ）及び（ｂ）は、第１実施形態に係るエルボ継手の構造を示す斜視図である。
【００２０】
本実施形態において、枡構造１は、図１に示すように、コンクリートや硬質塩化ビニル樹脂などの合成樹脂から形成された、例えば口径２００  ｍｍ以下の有底型略円筒形状に形成された貯水槽である。この枡構造１は、通常、地中に埋設され、敷地内に埋設された排水管に接続される。この枡本体１ａは、上部に向けて開放された掃除口２が開口形成されている。この掃除口２には掃除口管４が接続されて地表まで立上げられ、この掃除口管４の上端開口部には掃除口蓋５が装着され、地表面において閉止される。
【００２１】
また、この枡本体１ａの一側部には流出口７が形成され、他側部には流入口６が形成され、地中の配水管にそれぞれに接続されている。流入口６は、口径が、例えば５０ｍｍ〜７５ｍｍの孔であり、この流入口６には、建物の水回り設備から排出された排水を流す排水管３が嵌合接着されている。一方、流出口７は、口径が、例えば５０ｍｍ〜１００ｍｍの孔であり、この流出口７の底部は前記流入口６の底部よりやや低い高さ位置に形成されている。そして、この流出口７の外側縁部は、下水道へ通じる流出排水管３が嵌合接着されている。なお、上記の嵌合接着部分は、パッキンや接着剤により強固に固定されている。
【００２２】
枡本体１ａ内部にはエルボ継手１０が取り付けられている。このエルボ継手１０は、図２（ａ）及び（ｂ）に示すように、硬質塩化ビニル樹脂などの合成樹脂からなる略Ｌ字状に屈曲された管体であり、枡本体１ａ側の流出口７に着脱可能に嵌合される上部開口部１３と、この流出口７から連続して枡本体１ａ内下方へ向けて屈曲された屈曲部１４と、この屈曲部１４から連続して下方に向けられた下部開口部１２とから構成されている。この上部開口部１３は、流出口７側において、流出排水管３の開口部分に嵌合されるようになっている。一方、下部開口部１２は、枡本体１ａ内部の水嵩が増した際、この開口に排水が流れ込むようになっており、下部開口部１２に流入した排水は、エルボ継手１０内部を通過して流出口７側に流出される。
【００２３】
また、エルボ継手１０には、この屈曲部１４の外表部にグリップ部１１が取り付けられている。本実施形態において、グリップ部１１は、硬化プラスチック等の可撓性のあるベルト部材で形成され、その両端部において、上部開口部１３側及び下部開口部１２側の２点に設けられた係止部１１ａ，１１ｂによって、エルボ継手１０に着脱可能に固着されている。そして、このエルボ継手１０が流出配水管３に嵌合された状態において、グリップ部１１は、エルボ継手１０の上部から側部にわたって配置されることとなる。
【００２４】
（エルボ継手の使用方法）
以上の構成を有する枡構造１のエルボ継手１０は、排水管の点検及び清掃時において、以下の操作方法で使用することができる。図３は、本実施形態に係るエルボ継手の使用方法を示す説明図である。なお、ここでは、エルボ継手１０の外表部にグリップ部１１が予め設けられているものとする。
【００２５】
先ず、作業員は、掃除口蓋５を取り外して、掃除口２を開放する。そして、作業員は、掃除口２内に手を伸ばすことによって、上方よりグリップ部１１を掴むことができる。その後、図３に示すように、このグリップ部１１を流出口７に対するエルボ継手１０の嵌合方向（図３中：Ｄ１方向）に移動させることにより、エルボ継手１０を流出口７から取り外すことができる。このとき、グリップ部１１は、エルボ継手１０の外表部において、上部から側部にわたって配置されているため、グリップ部１１を嵌合方向へ引っ張ったときの力の合力が、スムーズに流出口７に伝達され、エルボ継手１０を容易に引き抜くことができる。
そして、作業員は、エルボ継手１０及び排水管３，８等を点検及び清掃等を実施することができる。なお、この際、作業員は、取り外されたエルボ継手１０について、このグリップ部１１を掴んだ状態のまま、エルボ継手１０の内部を清掃することができ、衛生的である。
【００２６】
その後、清掃及び点検が終了した後は、グリップ部１１を掴んで、流出口７に上部開口部１３を差し込むことで、エルボ継手１０の上部開口部１３を流出口７に嵌合させて、流出排水管３管と連結させる。このとき、グリップ部１１は、エルボ継手１０の外表部において、上部から側部にわたって配置されているため、グリップ部１１を嵌合方向へ押し込んだときの力の合力が、スムーズに流出口７に伝達され、エルボ継手１０を容易に嵌め込むことができる。
【００２７】
（作用・効果）
以上のような第１実施形態によれば、エルボ継手１０の外表部にグリップ部１１が取り付けられているので、作業員は、エルボ継手を取り外すときに、このグリップ部を掴み、流出口に対するエルボ継手の嵌合方向にグリップ部１１を移動させることで、容易に流出口７からエルボ継手１０を取り外すことができる。この際、作業員の手は、グリップ部１１にのみ接触するので衛生的である。このように、本実施形態によれば、排水設備の点検・清掃を衛生的、且つ簡易に行うことができ、その作業性を向上させることができる。
【００２８】
［第２実施形態］
（枡構造及びエルボ継手の操作器具の構成）
次いで、本発明の第２実施形態について説明する。第１実施形態では、エルボ継手１０にグリップ部１１を形成させて、エルボ継手１０を取り外したが、本実施形態では、エルボ継手１０を操作するための操作器具を用いて、エルボ継手１０を取り外す場合を例に説明する。図４（ａ）〜（ｃ）は、本実施形態に係る操作器具の全体構成を示す斜視図であり、図５及び図６は、本実施形態に係る操作器具の使用状態を示す説明図である。なお、本実施形態において、上述した第１実施形態と同一の構成要素には同一の符号を付し、その機能等は特に言及しない限り同一であり、その説明は省略する。
【００２９】
本実施形態に係る操作器具２０は、図４（ａ）〜（ｃ）に示すように、エルボ継手１０を操作するための器具であって、合成樹脂、金属や木材等で成型されており、長尺棒状のハンドル本体２１を基部とし、このハンドル本体２１の下端部に位置された、一対の当接部２３、２３と、一対の係合部２２，２２と、フック部２４とから構成される。
【００３０】
ハンドル本体２１は、上部側が作業者の把持部分となっており、この上端部分と下端部との間は、図４（ｃ）及び図７に示すように、屈曲部Ｃ１及びＣ２において、エルボ継手１０の屈曲に沿うように略クランク状に屈曲されている。当接部２３，２３は、ハンドル本体２１の両側部から、上面視で略ハの字状に延設された一対の板部材であり、内側面２３ａがエルボ継手１０の外表面に当接されることで、エルボ継手１０を外方から抑止するようになっている。
【００３１】
係合部２２，２２は、当接部２３，２３の内側下端部２３ａから上方に向けて突出した左右一対の棒状部材であり、この係合部２２，２２がエルボ継手１０の下部開口部１２内に差し込まれることで、エルボ継手１０の下方側の開口縁部１２ａを当接部２３と係合部２２とで挟み込むようにして係合され、エルボ継手１０を下方から支持するようになっている。なお、このように係合部２２がエルボ継手１０に契合された状態では、ハンドル本体２１が屈曲部Ｃ１及びＣ２において、エルボ継手１０の屈曲に沿うように略クランク状に屈曲されていることにより、図７に示すように、ハンドル本体２１の延長線Ｌが、エルボ継手１０の下部開口部２３の開口面Ｓ内を通るようになっている。
【００３２】
フック部２４は、掃除口蓋５の上面に設けられた凹部５ａに係止され、掃除口蓋５を引き上げるための部材であり、ハンドル本体２１の下方先端から前方に向かって湾曲し、先端部分が上面視で略Ｔ字状に形成されている。そして、この略Ｔ字状のフック先端を凹部５ａに引っ掛けることにより掃除口蓋５を保持して持ち上げることができるようになっている。
【００３３】
このような構成を有する操作器具２０は、排水設備の点検及び清掃時において、使用することができる。具体的には、図５に示すように、先ず、作業員は、ハンドル本体２１の上部を握り、掃除口蓋５の凹部５ａにフック部２４を係止させた状態で持ち上げて、掃除口蓋５を取り外す。
【００３４】
次いで、作業員は、図６に示すように、係合部２２，２２をエルボ継手１０の下方側の開口部１２内に差し込んで、開口縁部１２ａに係合させるとともに、当接部２３，２３をエルボ継手１０の外表面に当接させる。このように係合部２２がエルボ継手１０に契合された状態では、ハンドル本体２１が屈曲部Ｃ１及びＣ２において、エルボ継手１０の屈曲に沿うように略クランク状に屈曲されていることにより、図７に示すように、ハンドル本体２１の延長線Ｌが、エルボ継手１０の下部開口部２３の開口面Ｓ内を通るように位置される。
【００３５】
その後、この操作器具２０を流出口７に対するエルボ継手１０の嵌合方向Ｄ１に移動させて、エルボ継手１０を流出口７から取り外す。このとき、ハンドル本体１０を図７中において矢印Ｍで示す方向に傾けることにより、係合点Ｏを中心としたモーメント力Ｐを生じさせることができ、エルボ継手１０を嵌合方向Ｄ１に移動させることができる。そして、エルボ継手１０を取り外した状態において、エルボ継手１０及び排水管３，８等を点検及び清掃する。なお、この際、作業員は、エルボ継手１０を操作器具２０に係合させた状態のまま、エルボ継手１０の内部を清掃することができる。
【００３６】
清掃及び点検が終了した後は、エルボ継手１０を操作器具２０に係合させた状態で、流出口７に差し込み、エルボ継手１０の上部開口部１３を流出口７に嵌合させ、流出排水管３と連結させる。このとき、ハンドル本体１０を図７中において矢印Ｍで示す方向と反対の方向に傾けることにより、係合点Ｏを中心としたモーメント力Ｐを生じさせることができ、エルボ継手１０を嵌合方向Ｄ１に移動させることができる。
【００３７】
（作用・効果）
このような第２実施形態によれば、エルボ継手１０に係合部２２，２２を係合させてエルボ継手１０を下方から支持するとともに、当接部２３，２３によってエルボ継手１０の外側を抑止しているので、この状態でハンドル本体２１をエルボ継手１０の嵌合方向に移動させることで、容易に流出口７からエルボ継手１０を取り外すことができる。この際、作業員は、ハンドル本体２１を掴んで取り外し作業を行っているので、エルボ継手１０に直接接触することなく衛生的である。したがって、第２実施形態によれば、排水設備の点検・清掃を衛生的、且つ簡易に行うことができ、その作業性を向上させることができる。
【００３８】
［変更例］
上述した各実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００３９】
例えば、第１実施形態のグリップ部１１は、エルボ継手１０に着脱可能に取り付けられた構成としたが、図８に示すように、エルボ継手１０と一体成型されたグリップ部１１ａとしてもよい。この場合においても、グリップ部１１ａは、エルボ継手１０の外表部において、上部から側部にわたって配置されているため、グリップ部１１ａを嵌合方向へ押し込んだときの力の合力が、スムーズに流出口７に伝達され、エルボ継手１０を容易に嵌め込むことができる。なお、上述した実施形態では、グリップ部１１又は１１ａを掴んでエルボ継手１０を取り外す場合を例示したが、グリップ部１１又は１１ａを備えている場合であっても、第２実施形態の操作器具２０を用いて、エルボ継手１０を取り外してもよい。
【符号の説明】
【００４０】
１…枡構造
１ａ…枡本体
２…掃除口
３…上流排水管
４…掃除口管
５…掃除口蓋
５ａ…凹部
６…流入口
６ａ…受口
７…流出口
８…下流排水管
１０…エルボ継手
１１…グリップ部
１１ａ，１１ｂ…係止部
１２…下部開口部
１２ａ…開口縁部
１３…上部開口部
１４…屈曲部
２０…操作器具
２１…ハンドル本体
２２，２２…一対の係合部
２３，２３…一対の当接部
２４…フック部
【図１】
2014020082.tif 000003
【図２】
2014020082.tif 000004
【図３】
2014020082.tif 000005
【図４】
2014020082.tif 000006
【図５】
2014020082.tif 000007
【図６】
2014020082.tif 000008
【図７】
2014020082.tif 000009
【図８】
2014020082.tif 000010